(57)【要約】      （修正有）【課題】練習者が乗る可動テーブルを所望の方向・角度に傾斜させることが可能なゴルフ練習台を提供する。【解決手段】ゴルフ練習台はベースフレーム２上にユニバーサルジョイントを介して可動テーブル３を取り付けると共にベースフレームと可動テーブルとの間に複数の油圧シリンダ５を介在させ、しかも一つのストッパバルブ７で油圧シリンダの圧力媒体たるオイルの流れの阻止及び開放を一括して行えるように構成した。又、ゴルフ練習台はストッパバルブの開閉スイッチを可動テーブル上に設けた。考案はベースフレームに設けたリセットハンドルを回転させることで、容易に可動テーブルを水平状態に復元させることを可能とした。【選択図】図１
0003136548.tif 000002
【実用新案登録請求の範囲】
【請求項１】
ベースフレーム２上にユニバーサルジョイント４を介して可動テーブル３を取り付けたこと、
ベースフレーム２と可動テーブル３との間に複数の油圧シリンダ５を介在させたこと、
一つのストッパバルブ７で油圧シリンダ５の圧力媒体たるオイルの流れの阻止及び開放を一括して行えるようにしたこと、
を特徴とするゴルフ練習台。
【請求項２】
ストッパバルブ７の開閉動作を行うスイッチ７ａを可動テーブル３の上面に位置せしめたことを特徴とする請求項１記載のゴルフ練習台。
【請求項３】
ベースフレーム２に回動自在に取り付けたリセットハンドル８を、一方に回転させるとリンク機構９を介して連結された複数の支持体９ｃが起立し可動テーブル３を水平状態に支持し、他方に回転させると支持体９ｃが倒れ可動テーブル３が傾斜可能となるようにした請求項１又は２に記載のゴルフ練習台。
【考案の詳細な説明】
【技術分野】
【０００１】
本考案はゴルフ練習台に関し、より詳しくは練習者が乗る可動テーブルを所望の方向・角度に傾斜させることが可能なゴルフ練習台に関する。
【背景技術】
【０００２】
従来ゴルフ練習場においては平坦な打席台に練習者が載ってショットの練習を行っている。ところが実際のゴルフ場は起伏のある地形であることが多く、傾斜した地面上でショットを打たねばならないことが多々ある。それゆえゴルファーは傾斜地でのショット練習を望んでいる。
【０００３】
そこで打席台を所望の方向・角度に傾斜させることが可能なゴルフ練習台が提案されている。例えば実開平１−１６１７７１号公報には基台上に可動テーブルを自在継ぎ手部を介して取り付け、更に複数のシリンダーを両者の間に介在させたゴルフ練習台が記載されている。又特許公報第２９３０９４６号には基台と台部を半球体を介して傾斜自在に取り付け、ボルト等を用いて所望角度に固定するゴルフ練習台が記載されている。
【特許文献１】実開平１−１６１７７１号公報
【特許文献２】特許公報第２９３０９４６号
【考案の開示】
【考案が解決しようとする課題】
【０００４】
本考案は練習者が乗る可動テーブルを所望の方向・角度に傾斜させることが可能なゴルフ練習台を提供すること、より詳しくは所望の方向・角度を練習者が容易に設定解除することが可能なゴルフ練習台を提供することを目的とする。
【課題を解決するための手段】
【０００５】
上記課題を解決するために請求項１記載のゴルフ練習台はベースフレーム上にユニバーサルジョイントを介して可動テーブルを取り付けると共にベースフレームと可動テーブルとの間に複数の油圧シリンダを介在させ、しかも一つのストッパバルブで油圧シリンダの圧力媒体たるオイルの流れの阻止及び開放を一括して行えるように構成した。
【０００６】
又、請求項２記載のゴルフ練習台は請求項１記載のゴルフ練習台においてストッパバルブを可動テーブル上に設けたことを特徴とするものである。
【０００７】
請求項３記載の考案はベースフレームに回動自在に取り付けたリセットハンドルを、一方に回転させるとリンク機構を介して連結された複数の支持体が起立し可動テーブルを水平状態に支持し、他方に回転させると支持体が倒れ可動テーブルが傾斜可能となるように構成した。
【考案の効果】
【０００８】
本考案においてはベースフレーム上に可動テーブルをユニバーサルジョイントを介して取り付けてある。ゆえに可動テーブルを所望の方向・角度に傾斜させることが可能となるのである。又、ベースフレームと可動テーブルの間に複数の油圧シリンダーが介在させてあることから、任意の方向・角度で可動テーブルを支持することが可能となるものである。更にはひとつのストッパバルブで油圧シリンダーの圧力媒体たるオイルの流れを阻止・開放をできるようになしてある。それゆえ一箇所のストッパバルブを閉めるだけで油圧シリンダを固定できる。つまり可動テーブルの方向・角度を固定することができる。他方で一箇所のストッパバルブを開けるだけで油圧シリンダーを可動状態となすことができる。即ち固定された可動テーブルの方向・角度を可動状態となすことができるものである。
【０００９】
請求項２記載の考案においてはストッパバルブの開閉動作を行うスイッチを可動テーブルの上面に位置せしめてある。これにより練習者が可動テーブル上に乗った状態で、ゴルフクラブ等によってストッパバルブの開閉作業が行えるようになる。つまりは所望の傾斜方向・角度を体感しながら可動テーブルの固定及び解除ができるものである。
【００１０】
請求項３記載の考案においてはベースフレームに回動自在に取り付けたリセットハンドルを、一方に回転させるとリンク機構を介して連結された複数の支持体が起立し可動テーブルを水平状態に支持し、他方に回転させると支持体が倒れ可動テーブルが傾斜可能となるように構成してある。これにより容易に可動テーブルの水平状態を回復することが可能となり、ティーショット等足元が水平であることが前提の打球練習を容易に行うことが可能となるものである。
【考案を実施するための最良の形態】
【００１１】
以下、好ましい実施形態の一例を図面を参照して説明する。
【００１２】
本発明に係るゴルフ練習台１は図１に示すようにベースフレーム２、可動テーブル３、ベースフレーム２と可動テーブル３とを連結するユニバーサルジョイント４、ベースフレーム２と可動テーブル３との間に介在させる複数の油圧シリンダ５とを主な構成要素とするものである。
【００１３】
可動テーブル３は図２に示すようにパイプ材を格子状に組んだ枠体３ａと、枠体３ａ上に設置されるアルミ板３ｂより成る。アルミ板３ｂの上面には人工芝６が敷設されている。人工芝６は丈の長いロング部６ｂ、丈の短いショート部６ａより成る。練習はロング部６ｂ上にゴルフボールを載置して行うものである。ロング部６ｂに載置することにより、可動テーブル３が傾斜していてもゴルフボールが転がり落ちることを防止できるのである。
【００１４】
ベースフレーム２は図２に示すように、パイプ材を方形及び対角線方向に組んだ枠体２ａにより形成されている。ベースフレーム２と可動テーブル３との間には油圧シリンダ５が４個、シリンダチューブ５ａ側をベースフレーム２にピストンロッド５ｂ側を可動テーブル３に連結する形状で介在させてある。シリンダチューブ５ａはそれぞれ対角線に組まれた枠体２ａに取り付けられており、同一対角線上にある油圧シリンダ５，５同士がオイルホース５ｃで連通されている。すなわち、一方の油圧シリンダ５に負荷がかかると、当該油圧シリンダ５のオイルホース５ｃ内のオイルに戻しの圧力が加わり、このオイルホース５ｃと連通した他方の油圧シリンダ５に押しの圧力が加わる仕組みとなっている。
【００１５】
尚、各油圧シリンダ５・・にはオイルホース５ｃが２本づつ連結されており、対角線上の他方の油圧シリンダ５と直接連通していないオイルホース5ｃは、ストッパバルブ７を介して連通してある。すなわちストッパバルブ７には４本のオイルホース５ｃ・・が繋がっており、相互にオイルの流通が可能であると共に、ストッパバルブ７により一体的にオイルの流れを制御可能となるものである。
【００１６】
ストッパバルブ７内のオイルの流れを制御する弁は図１や図３に示されるスイッチ７ａにより行うものである。すなわちスイッチ７ａを押下すると弁が開放され、オイルの流れが自由となり、離すとスイッチ７ａは元の位置に戻り、弁も閉じられオイルの流れが止められるのである。このスイッチ７ａは図３に示すように可動テーブル３の上面に位置して設けてあり、練習者は可動テーブル３に乗ったままでゴルフクラブによりスイッチ７ａの押下等を行えるものである。つまりは可動テーブル３に乗ってゴルフクラブのヘッド部でスイッチ７ａを押すと、ストッパバルブ７が開放され油圧シリンダ５の伸縮が可能となる。すなわち可動テーブル３の傾斜を練習者が体重のかけ方を変化させることで任意に変更可能となり、所望傾斜にいたった段階でスイッチ７ａを離すとストッパバルブ７が閉められ、すなわちオイルの流れが止まり、油圧シリンダ５の伸縮が制御され傾斜が固定されるのである。
【００１７】
本考案においてはベースフレーム２と可動テーブル３の間にユニバーサルジョイント４が介在させてある。該ユニバーサルジョイント４は、図１や図２に示すように、ベースフレーム２に立設した板材２ｂ，２ｂ間にわたり掛け渡された板材２ｃに下部フランジを取り付け、上部フランジは可動テーブル３の枠体３ａ自体に取り付けてある。これにより可動テーブル３は傾斜自在となるものである。
【００１８】
請求項３記載の考案においては図４や図５に示すようにベースフレーム２を構成する枠体２ａにリセットハンドル８が回動自在に取り付けられている。該リセットハンドル８はリンク機構９を介して支持体９ｃと連結されている。具体的な動作を図５を用いて説明する。尚、図５は反時計回りに９０度回転させて作図してあり、以下の説明における左右という表現は回転前の状態におけるものである。
【００１９】
リセットハンドル８には一対のリンク機構９，９が連結されており、リセットハンドル８を左周りに回転させると、右側のリンク機構９を構成するリンク部材９ａは右方向に移動すると共に、同じく右側のリンク機構９を構成するリンク部材９ｂが左周りに回転する。該リンク部材９ｂは丁番９ｄを介して枠体２ａに対して起倒自在に設けられた支持体９ｃと連結されており、リンク部材９ｂの左回りの回転に伴い支持体９ｃは倒れるものである。このリセットハンドル８の左回りへの回転に伴い左側のリンク機構９もまた他の支持体９ｃを倒せしめるものである。すなわち左側のリンク機構９を構成するリンク部材９ａは、リセットハンドル８の左回りの回転に伴い左方向に移動し、リンク部材９ｂは左左回りに回転する。これによりリンク部材９ｂと連結された支持体９ｃは、右回りに回転し倒れるものである。尚、支持体９ｃの高さは起立時に上面が水平状態にした可動テーブル３の下面に当接するよう設けてある。支持体９ｃが倒れると支持体９ｃによる可動テーブル３の支持がなくなり、可動テーブル３は傾斜可能となるのである。
【００２０】
以上の倒す動作に対し、支持体９ｃを起立させる動作はリセットハンドル８を右周りにに回転させることで行う。リセットハンドル８を右回りに回転させると右側のリンク部材９ｂは左に移動し右側のリンク部材９ｂは右回りに回転し、支持体９ｃは右回りに回転し起立するものである。同じくリセットハンドル８を右回りに回転させると左側のリンク部材９ｂは右に移動し左側のリンク部材９ｂは左回りに回転し、支持体９ｃは左回りに回転し起立するものである。支持体９ｃの高さは起立時に上面が水平状態にした可動テーブル３の下面に当接するよう設けてあることから、支持体９ｃが起立することで可動テーブル３は水平状態が維持されるものである。  
【図面の簡単な説明】
【００２１】
【図１】本考案の正面図。
【図２】同じく底面図。
【図３】同じく平面図。
【図４】リセット機構の動作を示した全体説明図。
【図５】リセット機構の作動説明図。
【符号の説明】
【００２２】
２・・ベースフレーム
３・・可動テーブル
４・・ユニバーサルジョイント
５・・油圧シリンダ
７・・ストッパバルブ
７ａ・・スイッチ
８・・リセットハンドル
９・・リンク機構
９ｃ・・支持体
【図１】
0003136548.tif 000003
【図２】
0003136548.tif 000004
【図３】
0003136548.tif 000005
【図４】
0003136548.tif 000006
【図５】
0003136548.tif 000007